(57)【要約】垂直偏波用の第１のプリント基板は、それぞれアンテナ素子として機能する複数の垂直偏波素子と、複数の垂直偏波素子に接続される第１の給電回路とを備える。水平偏波用の第２のプリント基板は、それぞれアンテナ素子として機能する複数の水平偏波素子に接続される第２の給電回路を備え、複数の水平偏波素子が取り付けられる。第１のプリント基板の隣接する二つの垂直偏波素子間には切り欠き部が設けられており、第１のプリント基板と第２のプリント基板とは、第１のプリント基板の切り欠き部に水平偏波素子が配置されるように、並行に配置される。反射板は一方向に延びた凹部を有し、複数の垂直偏波素子と複数の水平偏波素子とは、その凹部の内側に、一方向に交互に配列されている。
2008136455.tif 000002
【特許請求の範囲】
【請求項１】
複数の垂直偏波素子と、前記複数の垂直偏波素子に接続される第１の給電回路とを備えた、垂直偏波用の第１のプリント基板と、
複数の水平偏波素子が取り付けられ、前記複数の水平偏波素子に接続される第２の給電回路を備えた水平偏波用の第２のプリント基板と、
一方向に延びた凹部を有する反射板と、
を備え、
前記第１のプリント基板の隣接する二つの垂直偏波素子間には切り欠き部が設けられており、
前記第１のプリント基板の切り欠き部に前記水平偏波素子が配置されるように、前記第１のプリント基板と前記第２のプリント基板とが並行に配置され、
前記複数の垂直偏波素子と前記複数の水平偏波素子とは、前記凹部の内側に、前記一方向に交互に配列されているセクタアンテナ。
【請求項２】
前記垂直偏波用のプリント基板及び前記水平偏波用のプリント基板は、バランを更に備えることを特徴とする請求項１に記載のセクタアンテナ。
【請求項３】
前記給電回路は、マイクロストリップ線路を備えていることを特徴とする請求項１または２に記載のセクタアンテナ。
【請求項４】
前記第１及び第２のプリント基板は、前記反射板に設けられた穴を貫くように配置されることを特徴とする請求項１乃至３のいずれか１項に記載のセクタアンテナ。
【請求項５】
前記反射板は、略Ｈ字型の断面形状を有することを特徴とする請求項１乃至４のいずれか１項に記載のセクタアンテナ。
【請求項６】
前記反射板は、略角かっこ型の断面形状を有することを特徴とする請求項１乃至４の何れか１項に記載のセクタアンテナ。
【請求項７】
前記反射板は、前記凹部の側壁が厚くなっていることを特徴とする請求項１乃至４の何れか１項に記載のセクタアンテナ。
【請求項８】
前記反射板の一部にチョークを有することを特徴とする請求項１乃至４の何れか１項に記載のセクタアンテナ。
【請求項９】
前記垂直偏波素子は、前記一方向から所定の角度傾いて形成されていることを特徴とする請求項１乃至８の何れか１項に記載のセクタアンテナ。
【請求項１０】
前記第１のプリント基板及び前記第２のプリント基板は、前記反射板の凹部内に設けられていることを特徴とする請求項１乃至９の何れか１項に記載のセクタアンテナ。
【請求項１１】
前記第１のプリント基板と前記第２のプリント基板を支持するサポート板と、を更に備え、
前記サポート板は、第１及び第２のプリント基板、前記反射板を支持していることを特徴とする請求項１乃至９の何れか１項に記載のセクタアンテナ。
【請求項１２】
前記第１のプリント基板、前記第２のプリント基板及び前記サポート板は、前記反射板の凹部内に設けられていることを特徴とする請求項１１に記載のセクタアンテナ。
【発明の詳細な説明】
【技術分野】
【０００１】
本発明は、セクタアンテナ(sector antenna)に関し、特に、携帯電話、無線ＬＡＮ（local area network）、ＷｉＭＡＸ（worldwide interoperability for microwave access）等の無線システムの基地局アンテナとして使用するセクタアンテナに関する。本願は、２００７年４月２７日に出願された特願２００７−１１８６２２号に基づき、優先権の利益を主張するものである。そして、特願２００７−１１８６２２号の内容は本願の明細書の内容に含まれる。
【背景技術】
【０００２】
携帯電話、無線ＬＡＮ、ＷｉＭＡＸ等の無線システム、とりわけＭＩＭＯ（multi input multi output）システムを利用する基地局アンテナの１つとして、例えば、直交偏波のパッチアンテナ(patch antenna)を配列したセクタアンテナがある。【０００３】
直交偏波用のアンテナとしては、以下のような構成が提案されている。特許文献１には２周波共用ダイポールアンテナ装置の構成が記載され、特許文献２には多周波偏波共用或いは単一周波数アンテナ装置が開示されている。【０００４】
【特許文献１】特開２００６−３２５２５５号公報
【特許文献２】特開２００５−３３２６１号公報
【発明の開示】
【発明が解決しようとする課題】
【０００５】
パッチアンテナを配列したセクタアンテナに関しては、特許文献１では垂直偏波素子の両側に水平偏波素子が配置される構成をとっているために（特許文献１の図１０）、アンテナの構成が複雑になってしまうという課題があった。また、特許文献２の構成では、複数の垂直偏波素子を一方向には配列し、水平偏波素子を一方向と垂直な方向に配列しているために（特許文献２の図３）、アンテナの構成が複雑になるとともに、部品点数が多くなってしまうという課題があった。【０００６】
従って、構造がより簡単で、製造コストが安くて垂直、水平偏波を共有するアンテナの実現が望まれていた。【０００７】
本発明の典型的な目的は、上記問題に鑑みてなされたものであり、アンテナの構成を簡単にしたセクタアンテナを提供することにある。
【課題を解決するための手段】
【０００８】
本発明に係るセクタアンテナは、複数の垂直偏波素子と、前記複数の垂直偏波素子に接続される第１の給電回路とを備えた、垂直偏波用の第１のプリント基板と、
複数の水平偏波素子が取り付けられ、前記複数の水平偏波素子に接続される第２の給電回路を備えた水平偏波用の第２のプリント基板と、
一方向に延びた凹部を有する反射板と、
を備え、
前記第１のプリント基板の隣接する二つの垂直偏波素子間には切り欠き部が設けられており、
前記第１のプリント基板の切り欠き部に前記水平偏波素子が配置されるように、前記第１のプリント基板と前記第２のプリント基板とが並行に配置され、
前記複数の垂直偏波素子と前記複数の水平偏波素子とは、前記凹部の内側に、前記一方向に交互に配列されているセクタアンテナである。
【発明の効果】
【０００９】
本発明によれば、垂直偏波に関してはプリント基板で形成され、水平偏波に関しては水平偏波素子を取り付けたプリント基板で形成されるので、給電回路とアンテナ素子の構成を簡単にすることができる。
【図面の簡単な説明】
【００１０】
【図１】本発明に係る第１の実施の形態におけるセクタアンテナの斜視図を示したものである。
【図２】本発明に係る第１の実施の形態におけるセクタアンテナを分解した分解斜視を示したものである。
【図３】本発明に係る第１の実施の形態におけるセクタアンテナを収納する円筒形の    レドームを示したものである。
【図４】本発明に係る第１の実施の形態における垂直面の放射パターンを示したもの    である。
【図５】本発明に係る第１の実施の形態における水平面の放射パターンを示したもの    である。
【図６】本発明に係る第２の実施の形態におけるセクタアンテナの斜視図を示したも    のである。
【図７】本発明に係る第３の実施の形態における反射板の断面形状を示したものであ    る。
【図８】本発明に係る第３の実施の形態における反射板の断面形状を示したものであ    る。
【図９】本発明に係る第３の実施の形態における反射板の断面形状を示したものであ    る。
【図１０】本発明に係る第４の実施の形態における斜め素子を形成した場合のセクタ    アンテナの斜視図である。
【図１１】本発明に係る第４の実施の形態における斜め素子を形成した場合の垂直面    の放射パターンを示したものである。
【図１２】プリント基板１１の平面図である。
【図１３】プリント基板１２の平面図である。
【図１４】水平偏波素子１５の斜視図である。
【図１５】反射板２０−３の斜視図である。
【図１６】プリント基板上に銅箔で水平偏波素子を形成した例を示す斜視図である。
【図１７】反射板２０または４０の変形例を示す斜視図である。
【図１８】反射板２０または４０の他の変形例を示す斜視図である。
【符号の説明】
【００１１】
１１、１２  プリント基板
１３、１７  バラン
１４  垂直偏波素子
１５  水平偏波素子
１６、１８  給電回路
１９  グランド導体
２４  斜め素子
２０、２１、２２、４０  反射板
３０  サポート板
【発明を実施するための最良の形態】
【００１２】
次に、本発明に係る典型的な実施の形態（exemplary embodiment）におけるセクタアンテナについて、図面を用いて説明する。
（第１の実施の形態）
図１は、本発明の第１の実施の形態に係わるセクタアンテナの斜視図である。図２は、第１の実施の形態におけるセクタアンテナを分解した分解斜視図を示したものである。【００１３】
図１及び図２に示すセクタアンテナは、プリント基板１１と、プリント基板１２と、水平偏波素子１５と、反射板２１と、反射板２２と、サポート板３０とを備えている。反射板２１と反射板２２とを組み合わせて反射板２０が構成される。【００１４】
図３は、セクタアンテナを収納する円筒形のレドームを示す図である。図１及び図２に示すセクタアンテナは、円筒形のレドーム(Radome)５０に収納される。【００１５】
図１及び図２に示すように、プリント基板１１は、垂直偏波素子１４と、給電回路１６と、バラン１７とを形成している。図１２はプリント基板１１の平面図を示す。  【００１６】
給電回路１６は、表面がマイクロストリップ線路であり、裏面にグラウンド導体を有する。【００１７】
バラン１７は、表面がストリップ線路であり、裏面がテーパ形状のグランド導体により形成される。【００１８】
垂直偏波素子１４は、プリント基板１１の表裏に形成される銅箔によりダイポールが形成される。なお、この垂直偏波素子１４の長さＬ１（図１２に図示）は、約０.４波長が適している。【００１９】
プリント基板１２は、給電回路１８と、バラン１３を形成している。図１３はプリント基板１２の平面図を示す。図１３はプリント基板１２の裏面を示しており、グランド導体１９がその裏面に形成されている。【００２０】
給電回路１８は、プリント基板１１の給電回路１６と同様に表面がマイクロストリップ線路であり、裏面にグラウンド導体１９を有する。【００２１】
バラン１３は、表面がストリップ線路であり、裏面がテーパ形状のグランド導体により形成される。【００２２】
水平偏波素子１５は、板金により形成され、線状素子を折り返した形状をしており、折り返しダイポールを形成している。【００２３】
図１４は水平偏波素子１５の斜視図であり、両端部が折り曲げられている。そして、両端部の一方がプリント基板１２のバランの表面に接続され、もう一方がバランの裏面にハンダ付けにより接続されている。【００２４】
なお、水平偏波素子１５の長辺の長さＬ２（図１４に図示）は、約０.３５〜０.５波長であり、さらに好ましくは約０.４波長である。【００２５】
プリント基板１１及び１２の材質は、ＰＴＦＥ（ポリテトラフルオロエチレンの略）が低損失のため適しているが、材料に係るコストを低減する目的で、ＢＴレジン（ビスマレイミドトリアジン樹脂の略）、ＰＰＥ（ポリフェニレンエーテルの略）などの材料も使用することができる。【００２６】
反射板２１と反射板２２は、それぞれの断面がＬ字型の板金により形成され、一部に、プリント基板１１と、プリント基板１２のバラン１３を通すための切り欠きを有する。そして、反射板２１の切り欠きと、反射板２２の切り欠きが組み合わされて、プリント基板１１と、プリント基板１２のバラン１３を通すための反射板２０の穴が構成される。反射板２１と反射板２２を結合させた反射板２０は、断面が「 ］」状をなし、一方向に延びた凹部が形成される。この凹部の内側に、複数の垂直偏波素子と複数の水平偏波素子とが一方向に交互に配列される。【００２７】
サポート板３０は、板金により形成され、その端部を交互に折り返して、反射板２１又は２２を固定するためのタブを有する。【００２８】
プリント基板１１とプリント基板１２、反射板２１と反射板２２、サポート板３０は、それぞれがネジにより固定される。【００２９】
これらの構成からなるセクタアンテナは、図３に示す円筒形のレドームに収納される。レドームの直径は、使用波長の約０.８〜１が好ましい。【００３０】
プリント基板１１に形成される垂直偏波素子１４と、プリント基板１２に搭載されている水平偏波素子１５とは、同一直線状に交互に配列されている。配列の個数や間隔は、所望の特性により決定される。プリント基板１１の隣接する二つの垂直偏波素子１４間には切り欠き部（図１２に図示）が設けられており、プリント基板１１とプリント基板１２とは、プリント基板１１の切り欠き部に水平偏波素子１５が配置されるように、並行に配置される。【００３１】
また、それぞれの配列に給電される信号の振幅と位相は、所望の特性になるように給電回路により制御される。例えば、本実施の形態では、マイクロストリップ線路の分岐を使用して、直列に分配し、振幅と位相を制御している。このような、給電回路による振幅と位相の制御の例は特開平７−１８３７２４号公報に説明されている。【００３２】
また、図４は、本実施の形態における垂直面の放射パターンを示したものである。【００３３】
また、図５は、本実施の形態における水平面の放射パターンを示したものである。【００３４】
以上により、本発明に係る本実施の形態では、垂直偏波と水平偏波の両偏波を共有するので、偏波を利用したＭＩＭＯシステムに適用することができる。【００３５】
また、本実施の形態のセクタアンテナは、周囲方向にセクタビームを有すると共に、垂直方向にペンシルビームやヌルフィルビーム（コセカント二乗特性など）を有する。【００３６】
本実施の形態における垂直偏波の送信の場合の動作について、マイクロ波信号の流れに沿って説明する。【００３７】
垂直偏波の入出力ポートから入力されたマイクロ波信号は、マイクロストリップ線路の分岐を通り、適切な振幅と位相を持った分配比に分配される。【００３８】
適切に分配されたマイクロ波信号は、バランで不平衡信号から平衡信号へ変換される。【００３９】
平衡信号へ変換されたマイクロ波信号は、垂直偏波素子１４へ給電され、空間へマイクロ波を放射する。【００４０】
垂直偏波素子１４から放射されたマイクロ波は、遠方にて所望のパターンを形成する。【００４１】
本実施の形態においては、水平面はセクタビームを、垂直面においてはコセカント二乗ビームを有する。【００４２】
本実施の形態の水平偏波の送信の場合の動作は、アンテナ素子が水平偏波素子１５であることを除き、垂直偏波素子１４の場合と同じであるので、詳細の説明を省略する。【００４３】
本実施の形態の受信の場合の動作は、送信の場合のマイクロ波信号の流れが逆になることを除き、同じであるので、詳細の説明を省略する。【００４４】
本実施の形態によれば、セクタアンテナは、給電回路とアンテナ素子の構成方法について、垂直偏波に関しては、垂直偏波素子のプリント基板で形成し、水平偏波に関しては、水平偏波素子を取り付けたプリント基板で形成することができる。【００４５】
これにより、第１の実施の形態によるセクタアンテナは、給電回路とアンテナ素子の構成を簡単に形成することができる。【００４６】
また、本実施の形態のセクタアンテナは、垂直偏波素子と水平偏波素子を同一直線状に配列し、反射板を共有することができるので、直径約０.８波長の円筒形レドームに収納することができる。【００４７】
これにより、セクタアンテナの小型化を図ることができる。【００４８】
また、本実施の形態のセクタアンテナは、少ない部品点数で構成しているため、部品価格が安価であり、かつ構成が簡単であるため組立が容易であり、製造コストを低減することができる。
（第２の実施の形態）
次に、本発明の第２の実施の形態におけるセクタアンテナについて図を用いて説明する。  図６は、本発明の第２の実施の形態に係わるセクタアンテナの斜視図である。【００４９】
図６に示すセクタアンテナは、プリント基板１１及び１２と、水平偏波素子１５と、反射板４０と、サポート板３０とを備えている。なお、サポート板３０は図６に示したような大きさでなく、Ｌ字金具のように小さい金具でもよい。垂直偏波素子１４はプリント基板１１の一部より構成される。【００５０】
図６に示す第２の実施の形態では、図１の第１の実施の形態に対し、プリント基板１１とプリント基板１２、サポート板３０とが、反射板４０の内側に配置されている点で異なる。【００５１】
これに伴い、以下のような各部品の形状が簡素化される。【００５２】
第１の実施の形態では反射板２１及び２２にプリント基板１１及び１２を貫くための切り欠きを設けていた。すなわち、反射板２０にプリント基板１１及び１２を貫くための穴を設けていた。本実施形態では、反射板４０に穴を設ける必要がなく形状が簡素化されている。【００５３】
プリント基板１１及び１２の大きさは、短辺方向の距離（反射板４０からの垂直偏波素子１４又は水平偏波素子１５までの距離）を、第１の実施の形態のプリント基板１１及び１２よりも短縮できるので、第１の実施の形態に対し、プリント基板１１及び１２の面積を狭くすることができる。【００５４】
本実施の形態によれば、セクタアンテナは、部品の簡素化により、部品と組立コストの低減を図ることができる。【００５５】
なお、本実施の形態における垂直面の放射パターンは、第１の実施の形態の場合と同様である。【００５６】
一方、本実施の形態における水平面の放射パターンは、第１の実施の形態の場合と垂直偏波素子又は水平偏波素子と反射板の形状との位置関係が異なるため、異なるビーム幅を示す。しかしながら、反射板の形状や素子の位置を調節することにより、所望のビーム幅を達成できる。
（第３の実施の形態）
次に、図７（ａ）〜（ｃ）、図８（ａ）〜（ｃ）、図９（ａ）〜（ｃ）に、第１の実施の形態の反射板２０の形状に変化を加えた場合の実施形態を示す。本願において、略Ｈ字型とは、図７（ａ）〜（ｃ）、図８（ａ）〜（ｃ）、図９（ａ）〜（ｃ）に示した反射板２０−１〜２０−９の形状も含まれる。第２の実施形態の反射板４０を反射板２０−１〜２０−９と同様の形状としてもよい。【００５７】
本実施の形態によれば、反射板４０の端部に流れる電流を抑制し、バックローブ特性、とりわけ水平偏波のバックローブ特性を改善する効果を奏する。【００５８】
なお、その他の効果や動作は、第１の実施の形態の場合と同様である。【００５９】
まず、図７（ａ）の実施の形態は、第１の実施の形態の反射板２０の断面形状を、Ｈ型の反射板２０−１にしている。【００６０】
本実施の形態によれば、第１の実施の形態より、後方（反射板に対して、垂直偏波素子及び水平偏波素子の配置側と反対の側）への電波の散乱を抑制することができ、バックローブを小さくすることができる。【００６１】
また、本実施の形態のアンテナは、円筒形のレドーム５０に収納されるが、レドームをなるべく細径化するために反射板の形状は、レドームに収納されるような小さい形状でなければならない。【００６２】
図７（ｂ）の実施の形態では、レドームに収容できるように反射板を折り曲げて、図７（ａ）よりも後方に反射板を延長して反射板２０−２とした。こうすることにより、図７（ａ）よりも電波の散乱を更に抑制する効果を奏する。【００６３】
なお、Ｈ型の側面の長さは、使用波長の約４分の１またはそれ以上がよい。【００６４】
次に、図７（ｃ）の実施の形態では、図７（ｂ）の反射板の一部に厚みを持たせて（凹部の側面が折り返されることで厚くなっている）反射板２０−３とすることにより、反射板端部からの散乱を抑制する効果を更に奏する。図１５は反射板２０−３の斜視図である。厚さＬ３は反射板の厚さよりも厚くなっている【００６５】
次に、図８（ａ）の実施の形態では、反射板２０−４の平面にチョーク２３−１を設けることにより、反射板背面に流れる電流を抑制している.【００６６】
チョークの深さは、使用波長の約４分の１がよい。【００６７】
次に、図８（ｂ）の実施の形態では、Ｈ型の反射板２０−５の側面にチョーク２３−２を設けている。【００６８】
これにより、反射板端部での電流を抑制している。【００６９】
次に、図８（ｃ）の実施の形態では、図８（ｂ）の実施の形態の反射板を後方へ延長して反射板２０−６とした。【００７０】
これにより、図８（ｂ）の実施の形態よりも、電波の散乱を更に抑制する効果を奏する。【００７１】
次に、図９（ａ）の実施の形態では、Ｈ型の反射板２０−７の側面に厚みを持たせている。【００７２】
これにより、反射板の端部からの散乱を抑制している。【００７３】
次に、図９（ｂ）の実施の形態では、図９（ａ）で示した実施の形態の反射板を、上下逆に構成して反射板２０−８とした。【００７４】
これにより、図９（ａ）の実施の形態と同様の効果を有している。【００７５】
次に、図９（ｃ）の実施の形態では、図８（ｂ）の実施の形態の反射板を、上下逆に構成して反射板２０−９とした。【００７６】
これにより、図８（ｂ）の実施の形態と同様の効果を有している。
（第４の実施の形態）
次に、第４の実施の形態におけるセクタアンテナを、図１０に示す。【００７７】
図１０に示すセクタアンテナは、図１の第１の実施の形態で示したセクタアンテナの垂直偏波素子１４を、斜めに配置することにより、斜め素子２４（Ｖ偏波素子ともいう。）を形成するようにしたものである。【００７８】
ここで、垂直偏波素子１４を斜めに配置し、斜め素子２４を形成する場合の下方に傾ける角度（斜めに配置する角度）は、図１０に示すＴＯＰの方向に対して、約４０度までが好ましい。ここで、ＴＯＰの方向とはセクタアンテナを地面に対して垂直に配置したときに、地面に対して上方向をいう。【００７９】
更に好ましくは、垂直偏波素子１４を、図１０に示すＴＯＰの方向に対して約３０度傾け、斜め素子２４を形成することが望ましい。【００８０】
図１０に示した斜め素子２４を形成したセクタアンテナについて、垂直面の放射パターンの利得向上を示す特性図を図１１に示す。【００８１】
図１１に示す第４の実施の形態の垂直面の放射パターンは、図中の矢印で示すように、セクタアンテナの直下付近において、図４で示した第１の実施の形態の垂直面の放射パターンよりも、利得が向上していることを示している。【００８２】
すなわち、図１１に示すように、図１０の斜め素子２４を形成することにより、セクタアンテナの直下付近（特に図１１の約６０度から９０度付近）の利得を、大幅に向上させることができる。【００８３】
これにより、斜め素子２４を形成するセクタアンテナは、セクタアンテナの直下付近の電波環境（通信状況）を改善することができる。【００８４】
以上説明した各実施形態において、水平偏波素子１５は板金により形成したが、プリント基板により形成してもよい。図１６（ａ）、（ｂ）はプリント基板１５Ａ、１５Ｂの上にそれぞれ銅箔で水平偏波素子を形成した例を示している。プリント基板１５Ａ、１５Ｂの中央は開口されており、銅箔で作成された水平偏波素子はプリント基板１２のバランとハンダで接続される。また、反射板２０は「 ］」型形状をなる場合について説明したが、「 ］」型形状を変形した図１８に示す「 〕」型形状の反射板２０−１１であってもよい。さらに、図１７に示すように、「 〕」形状の端部を折り曲げ延長した断面形状の反射板２０−１０であってもよい。本願において、略「 ］」型形状(略角かっこ型の形状（substantially square bracket shape）)とは、「 〕」型形状(角かっこ型の形状の両端部がテーパ状に広がった形状)や図１７に示す形状(角かっこ型の形状の両端部がテーパ状に広がり、テーパ状の端部を折り曲げた形状)も含まれる。第２の実施形態の反射板４０を反射板２０−１０、２０−１１と同様の形状としてもよい。【００８５】
以上、本発明の代表的な実施形態について説明したが、本発明は、本願の請求の範囲によって規定される、その精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書や要約書の記載には拘束されない。さらに、特許請求の範囲の均等範囲に属する変形や変更はすべて本発明の範囲内のものである。
【図１】
2008136455.tif 000003
【図２】
2008136455.tif 000004
【図３】
2008136455.tif 000005
【図４】
2008136455.tif 000006
【図５】
2008136455.tif 000007
【図６】
2008136455.tif 000008
【図７】
2008136455.tif 000009
【図８】
2008136455.tif 000010
【図９】
2008136455.tif 000011
【図１０】
2008136455.tif 000012
【図１１】
2008136455.tif 000013
【図１２】
2008136455.tif 000014
【図１３】
2008136455.tif 000015
【図１４】
2008136455.tif 000016
【図１５】
2008136455.tif 000017
【図１６】
2008136455.tif 000018
【図１７】
2008136455.tif 000019
【図１８】
2008136455.tif 000020
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
複数の垂直偏波素子を備えた第１のプリント基板と、
複数の水平偏波素子が取り付けられた第２のプリント基板と、
一方向に延びた凹部を有する反射板と、
を備え、
前記第１のプリント基板の隣接する二つの垂直偏波素子間には切り欠き部が設けられており、
前記第１のプリント基板の切り欠き部に前記水平偏波素子が配置されるように、前記第１のプリント基板と前記第２のプリント基板とが並行に配置され、
前記複数の垂直偏波素子と前記複数の水平偏波素子とは、前記凹部の内側に、前記一方向に交互に配列されているセクタアンテナ。
【請求項２】
前記第１のプリント基板及び前記第２のプリント基板は、バランを更に備えることを特徴とする請求項１に記載のセクタアンテナ。
【請求項３】
前記第１のプリント基板は前記複数の垂直偏波素子に接続される第１の給電回路を備え、前記第２のプリント基板は前記複数の水平偏波素子に接続される第２の給電回路を備えることを特徴とする請求項１又は２に記載のセクタアンテナ。
【請求項４】
前記第１及び第２の給電回路は、マイクロストリップ線路を備えていることを特徴とする請求項３に記載のセクタアンテナ。
【請求項５】
前記第１及び第２のプリント基板は、前記反射板に設けられた穴を貫くように配置されることを特徴とする請求項１乃至４のいずれか１項に記載のセクタアンテナ。
【請求項６】
前記反射板は、略Ｈ字型の断面形状を有することを特徴とする請求項１乃至５のいずれか１項に記載のセクタアンテナ。
【請求項７】
前記反射板は、略角かっこ型の断面形状を有することを特徴とする請求項１乃至５の何れか１項に記載のセクタアンテナ。
【請求項８】
前記凹部を構成する前記反射板の側壁は、前記側壁以外の部分よりも厚くなっていることを特徴とする請求項１乃至５の何れか１項に記載のセクタアンテナ。
【請求項９】
前記反射板の一部にチョークを有することを特徴とする請求項１乃至５の何れか１項に記載のセクタアンテナ。
【請求項１０】
前記垂直偏波素子は、前記一方向から所定の角度傾いて形成されていることを特徴とする請求項１乃至９の何れか１項に記載のセクタアンテナ。
【請求項１１】
前記第１のプリント基板及び前記第２のプリント基板は、前記反射板の凹部内に設けられていることを特徴とする請求項１乃至１０の何れか１項に記載のセクタアンテナ。
【請求項１２】
前記第１のプリント基板と前記第２のプリント基板を支持するサポート板と、を更に備え、
前記サポート板は、第１及び第２のプリント基板、前記反射板を支持していることを特徴とする請求項１乃至１０の何れか１項に記載のセクタアンテナ。
【請求項１３】
前記第１のプリント基板、前記第２のプリント基板及び前記サポート板は、前記反射板の凹部内に設けられていることを特徴とする請求項１２に記載のセクタアンテナ。
【請求項１４】
前記反射板の２つの側壁板は、前記複数の垂直偏波素子及び前記複数の水平偏波素子の配置側とは反対の側に伸びていることを特徴とする請求項６に記載のセクタアンテナ。
【請求項１５】
前記反射板の２つの側壁板は、前記複数の垂直偏波素子及び前記複数の水平偏波素子の配置側で折り返され、該配置側とは反対の側に伸びていることを特徴とする請求項６又は８に記載のセクタアンテナ。
【請求項１６】
前記第１のプリント基板と前記第２のプリント基板と前記反射板とを収容するレドームを備え、前記反射板の２つの側壁板の各伸長部は前記レドームに収容されるように折り曲げられていることを特徴とする請求項１５に記載のセクタアンテナ。
【国際調査報告】
2008136455.tif 000021
2008136455.tif 000022
2008136455.tif 000023
2008136455.tif 000024